(57)【要約】【課題】  パネルのバタつき音の発生を抑え、かつパネルを変形させにくく、パネルの動きに追従しやすいタイト材を備える簡易構造物を提供する。【解決手段】  パネルと、左右に延びる桟と、タイト材を備え、桟の上面にタイト材を取り付けてあって、タイト材がパネルを受けており、タイト材は、前後にフィンを有しており、フィンは、軟質であって先端に向けて内側に湾曲している。【選択図】      図１
2018003517.tif 000002
【特許請求の範囲】
【請求項１】
パネルと、左右に延びる桟と、タイト材を備え、桟の上面にタイト材を取り付けてあって、タイト材がパネルを受けており、タイト材は、前後にフィンを有しており、フィンは、軟質であって先端に向けて内側に湾曲していることを特徴とする簡易構造物。
【発明の詳細な説明】
【技術分野】
【０００１】
本発明は、屋根材となるパネルを桟が下側から支持する簡易構造物に関する。
【背景技術】
【０００２】
テラスなどの簡易構造物において、前後に並んで延びる垂木の間に左右に延びる桟を設けてあり、平行に並ぶ垂木の間に屋根材となるパネルを取り付けてあって、桟の上面に取り付けたタイト材が、パネルの下面を受ける構造のものがある。このパネル１００を受けるタイト材３００は、従来、図７に示すような、平板状の基部３０２と、基部３０２の上面（パネル１００の当接部）に設けた突起３０１と、桟２００に係合する係合部３０３を備えるものであった。しかしながら、このような従来のタイト材３００は、クッション性が低く、パネル１００が風にあおられた際などに、パネル１００とタイト材３００が衝突してバタつき音を生じる場合があった。
【０００３】
これに対し、特許文献１に示すような屋根葺き材受けが提案されている。この屋根葺き材受けは、中空形状の柔軟な材料で構成されているのでクッション性が高く、屋根葺き材が風にあおられて屋根葺き材受けと衝突しても、その衝撃を吸収してバタつき音の発生を防止するものである。
【先行技術文献】
【特許文献】
【０００４】
【特許文献１】特開２０００−１１０２９６号公報
【発明の概要】
【発明が解決しようとする課題】
【０００５】
しかしながら、特許文献１の発明の屋根葺き材受けは、中空形状であることから反発力が強く、パネルを下側から押し上げる力が強いのでそこを起点にしてパネルが熱変形しやすい点が問題であった。また、パネルの動きに対して屋根葺き材受けの形状が追従しにくい点も問題であった。
【０００６】
本発明は、上記事情を鑑みたものであり、パネルのバタつき音の発生を抑え、かつパネルを変形させにくく、パネルの動きに追従しやすいタイト材を備える簡易構造物を提供することを目的とする。
【課題を解決するための手段】
【０００７】
本発明は、パネルと、左右に延びる桟と、タイト材を備え、桟の上面にタイト材を取り付けてあって、タイト材がパネルを受けており、タイト材は、前後にフィンを有しており、フィンは、軟質であって先端に向けて内側に湾曲していることを特徴とする。
【発明の効果】
【０００８】
本発明によれば、タイト材が、前後に軟質で先端に向けて内側に湾曲したフィンを有しているので、クッション性が高く、バタつき音を抑えられる。そして、前後のフィンが分かれていて完全な中空形状ではないので、反発力が弱く、パネルが熱変形しにくい。また、前後のフィンがそれぞれ独立して変形するので、パネルの動きに追従しやすい。
【図面の簡単な説明】
【０００９】
【図１】パネルを受けるタイト材部分の拡大図である。
【図２】（ａ）〜（ｃ）は、タイト材がパネルの動きに追従する状態を示す説明図である。
【図３】簡易構造物の側面図である。
【図４】簡易構造物の正面図である。
【図５】簡易構造物の屋根の側面方向断面図である。
【図６】（ａ）、（ｂ）は、タイト材の異なる形状例の説明図である。
【図７】従来の簡易構造物におけるタイト材部分の拡大図である。
【発明を実施するための形態】
【００１０】
以下、本発明の実施の形態を図面に基づいて説明する。この簡易構造物は、種々の目的に使用可能なものであるが、ここで示すのは、バルコニーの屋根として用いられるものである。なお、以下において、左右とは、図４のように簡易構造物を正面視した際の左右を示し、図４における手前側（図３の左側）を前側、奥側（図３の右側）を後側とする。図３〜図５に示すように、この簡易構造物は、建物の外壁Ｗからせり出したバルコニーＢに設置するものであって、左右に立設した柱１０と、両柱１０に横架した桁２０と、桁２０の上面に取り付けた屋根３０からなる。屋根３０は、平面形状で前側に向けて下方に傾斜しており、前後に延び左右に平行に並ぶ５本の垂木４（両端の妻垂木を含む）と、垂木４の前端部に取り付けた左右に延びる前枠５と、垂木４の後端部に取り付けた左右に延びる垂木掛け６と、垂木４の前後方向中間位置において、左右に並ぶ垂木４の間に渡し掛けた左右に延びる桟２により骨組構造が形成され、左右に並ぶ垂木４の間に、それぞれ屋根材となるパネル１を取り付けてある。この際、桟２は下側からパネル１を受けている。そして、垂木掛け６は、外壁Ｗに固定してある。
【００１１】
次に、桟２がパネル１を受ける部分について詳述する。図１に示すように、桟２は、断面形状が縦長矩形の中空形材であり、上面には、長手方向（左右方向）に沿って延びる断面略Ｃ字形の溝状のタイト材ホルダ２１を形成してある。そして、タイト材ホルダ２１に、タイト材３を取り付けてある。タイト材３は、タイト材ホルダ２１に沿って左右に延びており、略平板状の基部３２と、基部３２の上面の前端部及び後端部からそれぞれ上側に向けて延びるフィン３１ａ，３１ｂと、基部３２の下面の前後方向中央部に形成した断面略Ｔ字形の挿入部３３からなり、挿入部３３をタイト材ホルダ２１に挿入して、タイト材３を桟２の上面に取り付けてある。フィン３１ａ，３１ｂは、軟質の樹脂からなり、基部３２からその上面に対して垂直向きに延び、上下高さの略中央部から先端に向けて内側（前側のフィン３１ａにとっては後側、後側のフィン３１ｂにとっては前側）に湾曲していて、前後のフィン３１ａ，３１ｂの先端同士が離隔して対向している。また、基部３２及び挿入部３３は、硬質の樹脂からなる。
【００１２】
そして、このように桟２の上面に設けたタイト材３が、パネル１の下面に当接しており、タイト材３がパネル１を受けている。なお、パネル１は、前端部が前枠５に、後端部が垂木掛け６に支持され、左右端部がそれぞれ垂木４に支持されており、桟２（タイト材３）はパネル１の前後方向中間部を支持している。
【００１３】
このタイト材３は、パネル１の荷重を受けない状態では、上述した図１に示すような形状であるが、パネル１の荷重を受けると、図２（ｂ）に示すように、フィン３１ａ，３１ｂが押しつぶされ、前後のフィン３１ａ，３１ｂがより離れた状態となる。このように、軟質で先端に向けて内側に湾曲したフィン３１ａ，３１ｂが柔軟に変形するので、クッション性が高く、パネル１が風にあおられるなどして上下動しても、パネル１がフィン３１ａ，３１ｂに当接した状態のまま、フィン３１ａ，３１ｂがパネル１の動きに追従して上下に伸縮する（図１の状態と図２（ｂ）の状態を繰り返す）ので、パネル１がタイト材３に衝突することがなく、バタつき音を抑えられる。そして、前後のフィン３１ａ，３１ｂが分かれていて完全な中空形状ではなく、パネル１を取り付けた状態において、図２（ｂ）のように、前後に離れるように変形するので、上下方向の反発力が弱い。よって、中空形状のものと比べて、パネル１を下側から押し上げる力が弱いので、そこを起点にしてパネル１が熱変形することを防ぐことができる。さらに、風の力などによってパネル１が前側にスライドするように動いた場合、図２（ａ）に示すように、前側のフィン３１ａは折り畳まれるように変形し、後側のフィン３１ｂは前側に伸びるように変形する。また、パネル１が後側にスライドした場合、図２（ｃ）に示すように、前側のフィン３１ａは後側に伸びるように変形し、後側のフィン３１ｂは折り畳まれるように変形する。このように、前後のフィン３１ａ，３１ｂがそれぞれ独立して変形するので、パネル１の動きに追従しやすく、パネル１を確実に支持できる。
【００１４】
なお、本発明において、タイト材３の形状は、前後にフィン３１ａ，３１ｂを有し、フィン３１ａ，３１ｂが先端に向けて内側に湾曲しているものであればよく、たとえば、図６の（ａ）及び（ｂ）に示すどちらの形状のものであってもよい。図６（ａ）に示すタイト材３は、図１及び図２に示したものと同じであり、前後のフィン３１ａ，３１ｂが、基部３２からその上面に対して垂直向きに延び、上下高さの略中央部から先端に向けて内側に湾曲している。一方、図６（ｂ）に示すタイト材３は、前後のフィン３１ａ，３１ｂが、基端部（基部３２に接する部分）から先端に向けて内側に湾曲している。何れのタイト材３も、同様の作用効果を奏するものである。
【００１５】
本発明は、上記の実施形態に限定されない。たとえば、タイト材を桟に固定する部分の構造は、どのようなものであってもよい。また、桟（タイト材）がパネルを受けるものであれば、屋根のその他の部分の構成は、どのようなものであってもよい。さらに、屋根が前後に長い場合などにおいて、タイト材を備える桟を前後に複数本設けてもよい。
【符号の説明】
【００１６】
１  パネル
２  桟
３  タイト材
３１ａ，３１ｂ  フィン
【図１】
2018003517.tif 000003
【図２】
2018003517.tif 000004
【図３】
2018003517.tif 000005
【図４】
2018003517.tif 000006
【図５】
2018003517.tif 000007
【図６】
2018003517.tif 000008
【図７】
2018003517.tif 000009